(57)【要約】１枚の印刷可能な材料からなる書簡用紙（１）はこの用紙（１）が折り目線（６）を中心に折り畳まれたとき互いに接触するように配置された端縁区域（２，３，４，５）に塗布された自己密封接触接着剤（１０）を有している。接触している端縁区域（２，３，４，５）は用紙（１）が開封されかつ再密封され得るように折り畳まれた状態に用紙（１）を一時的に密封するために第１の押圧力が付加されたときに剥離可能に接着される。接触している端縁区域（２，３，４，５）は折り畳まれた状態に用紙（１）を永久的に密封するために第１押圧力より高い第２押圧力が付加されたとき剥離不能に接着される。低い押圧力による密封は手作業で、例えば、指の押圧力で達成され得る。高い押圧力による密封は圧力密封機を備えることができる。永久的に密封された用紙（１）は結合された区域（２，３，４，５）を除去するために接着剤（１０）の内側寄りのミシン目（１２）に沿って引き裂くことにより開封され得る。用紙（１）が折り畳まれかつ密封されたとき空気を逃がすことができるように接着剤（１０）には間隙（１１）が設けられている。用紙（１）が折り畳まれかつ密封されたとき印刷された事項、例えば、宛先を見ることができるように少なくとも１つの窓（７）が備えられている。【選択図】図１
2004505805.tif 000002
【特許請求の範囲】
【請求項１】
１枚の紙または同様の印刷可能な材料からなる書簡用紙（１）であって、該紙または同様の材料に自己密封接触接着剤（１０）を塗布し、用紙（１）が折り畳まれたときに接着剤区域を互いに接触させると共に折り畳まれた状態に用紙（１）を一時的に密封するため第１押圧力を接着剤区域に付加させることにより接着剤区域を互いに剥離可能に接着させ、折り畳まれた状態に用紙（１）を永久的に密封するため第１押圧力より高い第２押圧力を接着剤区域に付加させることにより接着剤区域を互いに剥離不能に接着させることを特徴とする書簡用紙。
【請求項２】
接着剤（１０）を接着剤のない区域を残して不連続外周細片として塗布させ、折り畳まれかつ密封された用紙（１）に閉じ込められた空気を逃がすことができるように接着剤で接着された区域間に１つまたはそれ以上の間隙（１１）を形成するために接着剤のない区域を用紙（１）の折り畳まれた状態において互いに対応して配置させたことを特徴とする請求項１に記載の書簡用紙。
【請求項３】
用紙（１）には折り畳まれた状態において用紙（１）の第１印刷可能区域（９）と整列するように配置させた第１窓（７）を備えると共に折り畳まれた状態において用紙（１）の第２印刷可能区域（２１）と整列するように配置させた第２窓（２０）を任意に備えたことを特徴とする請求項１または２に記載の書簡用紙。
【請求項４】
用紙（１）を折り畳まれた状態に密閉および密封することが所望されているとき用紙（１）を半分に折り畳むように構成したことを特徴とする請求項１ないし３のいずれか１項に記載の書簡用紙。
【請求項５】
用紙（１）には頂縁（２）と底縁（３）との間の中間の両側縁（４，５）間の中心を通る単一の畳み目または折り目線（６）を備えていることを特徴とする請求項４に記載の書簡用紙。
【請求項６】
複数の用紙（１）を互いに貼り付くことなく折り畳まない状態において互いの上に積み重ね可能にしたことを特徴とする請求項１ないし５のいずれか１項に記載の書簡用紙。
【請求項７】
接着剤区域が他の接着剤領域にみに貼りつくように、接着剤（１０）を選定し、用紙（１）が折り畳まない状態において互いの上に積み重ねられるとき、１つの用紙（１）上の接着剤区域を隣接する用紙（１）上の接着剤区域に接触させないようにしたことを特徴とする請求項７に記載の書簡用紙。
【請求項８】
用紙（１）を半分に折り畳まれるように構成し、接着剤（１０）を用紙（１）の１側においてのみその端縁（２，３，４，５）に塗布し、それによって複数の用紙（１）を接着剤区域間の接触なしで互いの上に積み重ね可能にしたことを特徴とする請求項７に記載の書簡用紙。
【請求項９】
用紙（１）を１回以上折り畳まれるように構成し、接着剤（１０）を用紙（１）の両側の端縁に塗布させ、１側の接着剤区域を他側の接着剤区域からずらして配置させ、複数の用紙（１）を接着剤区域間の接触なしで積み重ね可能にしたことを特徴とする請求項７に記載の書簡用紙。
【請求項１０】
一枚の紙と接触接着剤（１０）をレーザープリンターと共存し得るように選択可能にしたことを特徴とする請求項１ないし９のいずれか１項に記載の書簡用紙。
【請求項１１】
一枚の紙には頂縁（２）と、底縁（３）と、対向の側縁（４，５）とを備え、接着剤（１０）を各端縁（２，３，４，５）の内側寄りに外周細片として塗布し、ミシン目（１２）を接着剤（１０）の内側寄りに設けたことを特徴とする請求項１ないし１０のいずれか１項に記載の書簡用紙。
【請求項１２】
用紙（１）をミシン目の折り目線（６）に沿って折り畳み可能にし、ミシン目の折り目線（６）には開封されかつ折り畳まれないとき用紙（１）の完全な状態を維持するために中断地点（２２）を備えたことを特徴とする請求項１ないし１０のいずれか１項に記載の書簡用紙。
【発明の詳細な説明】
【０００１】
【技術分野】
本発明は書簡用紙またはその改良に関するものである。本発明は特に印刷面を隠蔽しかつ折り畳まれた状態の用紙を接着剤によって固定させるために印刷を施しかつ１つまたはそれ以上の折り目線を中心に折り畳まれ得る１枚の紙から成る書簡用紙に関するものである。
【０００２】
【背景技術】
この種の書簡用紙は公知であり、公知の書簡用紙には用紙の印刷可能な区域から離れている用紙の外周端のまわりに連続細片として接着剤が塗布されている。
【０００３】
接着剤は粘質ゴムのりのように水分で活性化でき、使用者が例えば舐めることによって湿気を付与し、そしてその後用紙を折り畳んた状態に密封するために折り畳まれた用紙の接着剤区域に指で付加させた圧力によって押圧して接着させる。
【０００４】
変形例において、接着剤は密封前に湿気を必要としないかまたは他の活性化を必要としない接触接着剤のごとく自己密封することができるものがある。接触接着剤は指の圧力が折り畳まれた用紙の接着剤区域に付加された際に用紙を折り畳んだ状態に永久的に密封する低圧型にすることができる。これは密封されるべき用紙の数が少ない場合の用紙の手作業の密封に適する。密封されるべき用紙の数がビジネス使用のごとく多量である場合、用紙を折り畳まれた状態に自動的に密封するために密封機を使用するのが普通である。
【０００５】
このような機械は指により手作業で得られる力より非常に高い密封力を付加することができるように構成されている。その結果として、高圧型接触接着剤を使用することが可能であり、高圧型接触接着剤は十分な圧力が付加された場合に用紙を折り畳まれた状態に永久的に密封するが、しかし指の力では密封することはなく、それにより指の圧力によって互いに貼り合せた用紙の偶発的に生じるかまたは不注意による密封の危険を減少する。
【０００６】
公知の接触接着剤の欠点は用紙を指の圧力によって手作業でまたは機械圧力によって自動的にいったん折り畳まれた状態に永久的に密封すると、接着剤で結合させた区域を用紙の残りの部分から取り除くことによってのみ用紙を開封させることができることにある。これは接着剤の内側寄りにミシン目線を設けることによって一般的に行われているので、接着剤で結合された区域は用紙の残りの部分から容易に引き離され得る。その結果として、用紙が折り畳まれそして密封された後に印刷情報に対する追加または変更を行うために用紙を開封しかつ再密封することはできない。
【０００７】
さらに他の欠点は用紙を折り畳まれた状態に密封するとき、折り畳まれた用紙に空気が入り込みそして用紙の全ての外周縁のまわりに塗布された接着剤によって設けられた連続密封によって逃げ出すことを阻止されてしまうことにある。入り込んだこの空気は折り畳まれかつ密封された用紙の膨らみを生じさせ、用紙の膨みは、用紙に引き裂きまたは他の損傷を受け易くして、用紙に付与された印刷を読みにくくし、用紙をその意図された目的に使用できなくする。これは受信者によって情報を完備させかつ送信者に送り返させることを意図している用紙の場合にとくに問題である。
【０００８】
本発明は上述した課題を解決することを意図したものである。
【０００９】
【発明の概要】
本発明の目的は必要な場合に用紙を開封させかつ再密封させることができるように用紙を折り畳まれた状態に一時的に密封させることができ、また接着剤で結合された区域が用紙の残りの部分から引き離されるまで用紙が開封されるのを阻止するため用紙を折り畳まれた状態に永久的に密封させることができる書簡用紙を提供することにある。
【００１０】
本発明のさらに他の目的は用紙が開封されるかまたは他の方法で空気を放出させるために破壊されるまで、折り畳まれかつ封印された用紙内に空気を永続的に入り込ませることなく、用紙を折り畳みそして折り畳まれた状態に一時的にまたは永続的に密封させることができる書簡用紙を提供することにある。
【００１１】
本発明の第１態様による書簡用紙は１枚の紙または同様の印刷可能な材料からなり、該１枚の紙または同様の印刷可能な材料に自己密封接触接着剤を塗布し、用紙が折り畳まれた時に接着剤区域を互いに接触させ、そして用紙を一時的に封印するため第一押圧力を付加させることにより接触している接着剤区域を互いに剥離可能に接着させ、用紙を折り畳まれた状態に永久的に封印するため第１押圧力より高い第２押圧力を接触している接着剤区域に付加させることにより接触している接着剤区域を互いに剥離不能に接着させたものである。
【００１２】
本発明によれば、接触接着剤は低い押圧力が、例えば、指により手作業で付加されるとき、用紙を一時的に密封しかつ用紙を開封させかつ再び密封させることができる機能と、高い圧力が、例えば、密封機により自動的に付加されるとき、用紙を永久的に密封しかつ用紙を開封させるために接着剤で結合された区域の切り離しを必要とする機能との二重機能を備えている。
【００１３】
この方法において、使用者は用紙を一時的にまたは永久的に密封するかどうかを選択することができる。用紙が一時的に密封された場合に、用紙はすでに密封された用紙を破り捨てることなく送信者によりおよび／または受信者により印刷された情報に追加または変更を行うことができるように開封させかつ再密封され得る。かくして、受信者が用紙を開封し、情報を追加しそしてその後送信者に戻すために用紙を永久的に密封し得るように送信者が用紙を一時的に密封し得ることが考えられる。この方法において、受信者により追加された情報に対して権限のない者のアクセスが防止される。
【００１４】
本発明の第２の態様にる書簡用紙は１枚の紙または同様の印刷可能な材料から成り、該紙又は同様の印刷可能な材料に自己密封接触接着剤を塗布し、用紙を折り畳まれた状態に密封するため用紙が折り畳まれた時に接着剤区域を互いに接触かつ接着させ、折り畳まれかつ密封された用紙に閉じ込められた空気を逃がすことができるように接着剤で固着された区域間に１つまたはそれ以上の間隙を形成するために用紙の折り畳まれた状態に整列されている接着剤のない領域を残存ている不連続外周細片として接着剤を塗布させてある。
【００１５】
本発明によれば、用紙は用紙の接着剤で固着された区域に設けられた間隙を通して入り込んだ空気を追い出すために折り畳みかつ密封した後に平らにさせることができる。かくして、不連続細片として接着剤を設ける簡単な手段は従来技術の書簡用紙の問題を回避することができると共に、郵便を介して送るのに適する折り畳まれた状態に用紙を密封させることができる。接着剤は本発明の第１態様にしたがって用紙を一時的または永久的のいずれかで密封させることができるように選定され得る。
【００１６】
本発明の第３態様にる書簡用紙は１枚の紙または同様の印刷可能な材料から成り、該紙または同様の材料に自己密封接触剤を塗布し、用紙を折り畳まれた状態に密封するために接着剤区域を互いに接触かつ接着させ、用紙には折り畳まれた状態において用紙の第１印刷可能区域と整列するように配置させた第１窓を備えると共に折り畳まれた状態において用紙の第２印刷可能区域と整列するように配置させた第２窓を設けたものである。
【００１７】
本発明によれば、第１印刷可能区域および第２印刷可能区域は送信者および受信者の宛先を印刷させることができ、同時に用紙には受信者に送られる情報が印刷され、そして両方の宛先は用紙の折り畳まれた状態において関連の窓を通して見ることができる。その結果として、用紙は単一の作業において印刷させることができ、密封されたとき、受信者が引っ越した場合に用紙を送信者に戻すことができるように返送アドレスを備えることができる。接着剤は用紙が本発明の第１態様にしたがって一時的または永続的に密封され得るように選定させることができ、そして接着剤は本発明の第２態様にしたがって用紙の折り畳まれた状態において空気が入り込むのを阻止するように塗布され得る。
【００１８】
本発明の態様の各々による好適な実施例において、用紙は折り畳まれた状態に用紙を密閉および密封することが所望されているとき半分に折り畳まれるように構成されている。このため、用紙はその頂縁と底縁との間の中間の側縁間の中心に沿う単一の畳み目または折り目線を備えている。
【００１９】
この方法において、上半体の端縁は底半体の端縁と対応するように整列されそして接触接着剤は端部に隣接する狭い外周細片またはバンドとして塗布されている。その結果として、底半体上の接着剤は用紙が折り目線を中心に折り畳まれかつ整列された接着剤区域に圧力が付加されたとき、上半体上の接着剤に接触しかつ貼りつく。
【００２０】
本発明の各態様において望ましいことは、用紙が互いに貼り付くことなく折り畳まない状態において互いの上部に積み重ねられ得ることにある。この方法において、プリンターの送りを妨害する２つまたはそれ以上の枚数の用紙を偶発的にともに積み重ねる危険なしに積み重ねた用紙からプリンターに供給される各用紙上に所望の情報を印刷するためにプリンターを使用することができる。
【００２１】
接着剤は、好ましくは、接着剤区域が他の接着剤区域にのみ貼りつくように選択され、用紙が折り畳まない状態において互いの上に積み重ねられたとき、１つの用紙上の接着剤区域は隣接する用紙上の接着剤区域に接触することはない。
【００２２】
用紙が半分に折り畳まれるように構成されている場合に、接着剤は用紙の片側の端縁のみに塗布され、それによって接着剤区域間の接触なしに互いの上に用紙を用紙を積み重ねることができる。
【００２３】
１回より多く折り畳まれるように構成され得る用紙のために、接着剤は用紙の両側の端縁に塗布させることができ、この場合に、１側の接着剤区域は、好ましくは、他側の接着剤区域からずれるように配置され、それにより用紙は接着剤区域間の接触なしに積み重ねられ得る。
【００２４】
本発明の態様の各々による書簡用紙および接着剤はほとんどのレーザープリンターに適合し得るように選択され、しかも該用紙および接着剤は他の型式のプリンター、例えば、インクジェットプリンターまたはバブルジェットプリンターによる使用のために選定され得る。
【００２５】
好都合には、本発明の各態様による書簡用紙は用紙の受信者の名前および住所が配置されている用紙の１部分と整列するように配置させた窓を有し、用紙の折り畳まれた状態において窓を通して受信者の名前および住所が目視できる。この方法において、単一の作業において受信者に送られる情報が用紙に印刷されると同時に受信者の詳細が用紙上に印刷される。
【００２６】
より好ましくは、用紙は折り畳まれた状態において用紙の別個の印刷可能な区域と整列するように配置させた２つの窓を備え、それによって受信者と送信者の両方の宛先が印刷されかつ折り畳まれた状態において関連の窓を通して目視可能である。この方法において、受信者が引っ越した場合または用紙が受信者によって用紙に追加の情報を含ませるように用紙を受信者によって開封されかつ再密封され得る場合に送信者に用紙を返送させることができる。
【００２７】
本発明を「マスターメイラー」と呼ばれている好適な書簡用紙に関する図示の実施例についてその利益および利点とともに詳細に説明した。しかしながら、上述の説明は本発明の考え得るすべての用途および使用についてあますことなく網羅できるものではなく、本発明の精神および範囲から逸脱することなく種々の変更が可能である。
【００２８】
本発明の実施例を添付図面について詳細に説明する。
【００２９】
【発明を実施するための最良の形態】
図１および図２には、「マスターメイラー」と呼ばれている書簡用紙１が示され、該用紙１は１枚のＡ４サイズの紙から構成されている。他のサイズの紙も使用することができかつ以下の説明はすべてのサイズを包含する。その紙はレーザープリンターに適合できそして用紙１は頂縁２、底縁３および対向の側縁４，５を有している。
【００３０】
上半体１ａと下半体１ｂに分割させるために頂縁２と底縁３との間の中間に畳み目または折り目線６が設けられている。折り目線６は後述するように用紙１を密閉および密封することが所望されている図２に示した用紙の折り畳まれた状態に２つの半体１ａ，１ｂを重ね合わすために用紙１を半分に折り畳むことを容易にする。折り目線６は適宜な手段によって形成させることができ、この実施例においては紙の打ち抜き穴のミシン目線から構成されている。
【００３１】
上半体１ａは用紙１のコーナー区域に紙を切り抜いた矩形の窓７を形成している。窓７は折り畳まれた状態において最も奥深い部分である用紙１の上側の窓７の周辺端のまわりに接着剤で密封させた透明または半透明材料の細片８によって被覆されている。
【００３２】
窓７は折り畳まれた状態において用紙の下半体１ｂ上のコーナー区域に備えた対向矩形部分９と整列するように配置されている。矩形部分９は用紙１の折り畳まれた状態において窓７を通して見ることができるように用紙１の受信者の住所及び氏名を印刷するように配置されている。この方法において、用紙１に受信者に送られねばならない情報が印刷されると同時にこの情報が印刷され得る。その結果として、用紙１は単一の作業において必要なすべての情報を印刷でき、そしてその後用紙１に名前および住所を記入するような別個の作業を要求することなくポストに投函させるために備えて折り畳まれかつ密封され得る。
【００３３】
図１に示したように、接着剤１０は受信者に送られる情報が印刷される側でかつ用紙１の折り畳まれた状態において最も奥深い部分である側と同じ側となる用紙１の片側に設けられている。接着剤１０は頂縁２および底縁３の内側寄りと側縁４，５の内側寄りに狭い周辺細片として塗布されている。
【００３４】
接着剤１０は側縁４，５の長さに沿っては連続しており、そして頂縁２および底縁３の長さに沿っては不連続であるので、側縁４，５と頂縁２および底縁３との間の各コーナー区域には狭い間隙１１が設けられている。上半体１ａ上の間隙１１は下半体１ｂ上の間隙１１と同じ位置に設けられているので、図２に示した用紙１の折り畳まれた状態において、それらの間隙１１は対応するように整列されかつ開口部を形成し、折り畳まれかつ密封された用紙１の内部に入り込んだ空気は開口部を通って逃げられ得る。
【００３５】
理解されるように、間隙１１の数および配置は図示された実施例の数および配置から変更させることができ、用紙１が折り畳まれたとき、入りこんだ空気を逃がすために少なくとも１つの開口部が形成できれば十分である。
【００３６】
接着剤１０は第１押圧力により用紙１を折り畳まれた状態に一時的に密封しかつ第１押圧力より高い第２押圧力により永久的に密封するように選定されている。第１押圧力は送信者または受信者によって用紙１を開封させかつ再密封させることができる取消せる密封のための手作業の指の押圧力に相当する。第２押圧力は指の押圧力よりも著しく高くかつ用紙１を開封させ得る前に用紙１の残部から接合された接着剤区域を分離させることを必要とする取消せない密封のために密封機の使用を必要とする。上述した特性を有するあらゆる適宜な接触接着剤が使用され得る。本発明ではアンモニアで安定化されかつ合成ポリマーエマルジョンと、酸化防止剤と、消泡剤とを包含している天然ゴムラテックスを基礎にしたｐＨ１０および２０°Ｃで１３ポワーズの粘性を有する水性接触接着剤を使用する。適宜な接着剤の例は商標シーロックＬ１３７９に基づくイギリス国、アンドーバー所在のシーロック（Ｓｅａｌｏｃｋ　ｏｆ　Ａｎｄｏｖｅｒ，Ｅｎｇｌａｎｄ　ｔｈｅ　ｔｒａｄｅｍａｒｋ　Ｓｅａｌｏｃｋ　Ｌ１３７９）から入手可能である。
【００３７】
用紙１が永久的に密封されたとき受信者による開封を容易にするために、頂縁２および底縁３と側縁４，５とに沿って接着剤の内側寄りには打ち抜き穴のミシン目１２または他の破れやすい線が設けられている。これらのミシン目１２は折り畳まれかつ密封された状態の用紙１において対応して整列され、そして用紙１を開封するためにミシン目１２に沿って引き裂くことによって接着剤で結合された端縁区域を引き離すことができかつそこに印刷された情報を読み取ることができる。永久的に密封させた用紙１を開封するこの方法は用紙１がミシン目１２に沿って引き裂くことによって開封されたかどうかが容易に明らかとなるので用紙１に印刷された情報が機密事項である場合に多大の安全度を提供する。用紙１上に印刷された情報が機密事項でなくかつ用紙１が一時的に密封される場合の用途にとってはミシン目１２は必要としない。
【００３８】
次に図３および図４には、同様に「マスターメイラー」と呼ばれている変形例の書簡用紙を示し、上述した実施例に示した部材に対応する部材は同じ符号を使用している。
【００３９】
この変形例において、用紙１の上半体１ａには窓７の下側に矩形状の第２窓２０が設けられ、第２窓２０は用紙１の折り畳まれた状態において用紙１の下半体１ｂの矩形部分９の上側の印刷可能な第２矩形部分２１と対応する位置に配設されている。
【００４０】
透明または半透明材料の細片８は両方の窓７，２０を被覆するが、しかし別個の細片を各窓７，２０用に設けることができ、また窓７，２０の位置を図示した実施例の位置と異にすることができる。
【００４１】
第２窓２０は返送用宛先を印刷させることができ、そして用紙１の折り畳まれた状態において窓２０を通して返送用宛先が目視可能である。この返送用宛先は用紙１の残部が印刷されるときに同時に印刷させることができ、かつ受信者が引っ越した場合に用紙１を返送させることができる。
【００４２】
この実施例における他の安全性の特徴として、用紙１の各側縁４，５上のミシン目１２の線の内側寄りに折り目線６を形成するミシン目線に中断地点２２が設けられている。これらの中断地点２２は５ないし１０ｍｍの長さにすることができ、そして用紙１を開封するために接着剤で結合させた端縁区域を除去するようにミシン目１２に沿って引き裂いた後に２つの半体１ａ，１ｂ間に残っている折り目線６の各端部にストッパ（非ミシン目区域）を形成する。
【００４３】
この方法において、開封後用紙１の２つの半体１ａ，１ｂの偶発的な分離が簡単かつ有効な方法で阻止される。しかしながら、中断地点２２の数および位置は図示した位置に中断地点２２を設けることによって折り目線６に沿う引き裂きの伝達を最初に防止するのが好ましいけれども図示した中断地点の数および位置から変更させることもできる。
【００４４】
用紙１が折り畳まれたとき空気を逃がすための開口部を形成する間隙１１の異なる配置をこの実施例に示している。
【００４５】
上述した書簡用紙の特徴は多くの利点および利益を備えている。従って、接着剤１０の二重密封能力は使用者の選択によって一時的にまたは永久的に用紙１を密封させることができる。接着剤１０による用紙１の不連続密封は折り畳み作業に用紙１に空気が入り込むのを阻止し、空気の逃がしは密封を容易にしかつ輸送における用紙１に対する損傷の危険を減少する。二重窓機構は受信者の宛先および返送用宛先を用紙１に印刷するのを可能にする。本発明はこれらの特徴のすべてを有する書簡用紙に限定するものではなく、これらの特徴の１つまたはそれ以上を書簡用紙に設けることができることにある。
【００４６】
本発明は１枚の紙から成る個々の用紙に関連して説明したけれど、幾つか複数の用紙をプリンターに供給するために頂縁および底縁に沿うミシン目線を通して取付けることができ、個々の用紙を印刷後に互いから引き離すこともできる。この用途において、用紙には接着剤区域の外側の側縁に沿って別の引き裂き細片を備えると共に、スプロケット駆動装置または同様の送り機構に係合させるために一連の孔を備え、用紙を印刷するために所定の方向および位置で用紙をプリンターに供給させるのを保証する。
【００４７】
また、用紙は広範囲の用途、例えば、選択された受信者に宣伝資料、送り状、アンケート等を送付するために使用され得る。他の用途は当業者には明らかでありかつこの発明の範囲内である。
【図面の簡単な説明】
【図１】
本発明を折り畳まれない平らな状態で具体化した書簡用紙の実施例の平面図である。
【図２】
図１に示した用紙を折り畳まれかつ封印された状態で示した平面図である。
【図３】
本発明を折り畳まれない平らな状態で具体化した書簡用紙の変形例の平面図である。
【図４】
図３に示した形状体を折り畳まれかつ封印された状態で示した平面図である。
【符号の説明】
１　　　書簡用紙
２　　　頂縁
３　　　底縁
４，５　側縁
６　　　折り目線（ミシン目）
７　　　第１窓
８　　　透明材料細片
９　　　第１矩形部分
１０　　接着剤
１１　　間隙
１２　　ミシン目
２０　　第２窓
２１　　第二矩形部分
２２　　中断地点
【図１】
2004505805.tif 000003
【図２】
2004505805.tif 000004
【図３】
2004505805.tif 000005
【図４】
2004505805.tif 000006
【国際公開パンフレット】
2004505805.tif 000007
2004505805.tif 000008
2004505805.tif 000009
2004505805.tif 000010
2004505805.tif 000011
2004505805.tif 000012
2004505805.tif 000013
2004505805.tif 000014
2004505805.tif 000015
2004505805.tif 000016
2004505805.tif 000017
2004505805.tif 000018
2004505805.tif 000019
2004505805.tif 000020
2004505805.tif 000021
2004505805.tif 000022
2004505805.tif 000023
2004505805.tif 000024
2004505805.tif 000025
【国際公開パンフレット（コレクトバージョン）】
2004505805.tif 000026
2004505805.tif 000027
【国際調査報告】
2004505805.tif 000028
2004505805.tif 000029